(57)【要約】【課題】データ取得機能を備えた表示装置であって、データ取得に伴い記録可能容量が減少し、結果として記録不可となるのを未然に防止することが可能な表示装置を提供する。【解決手段】本発明の表示装置は、受信した電子メールが所定の条件を満たすか否かを判定する条件判定部を備えている。また、条件判定部により所定の条件を満たさない電子メールが検知された場合に、該当電子メールの添付データを記録部から削除するデータ削除部を備えている。さらに、添付データを保存する条件を受け付ける条件登録部を備えている。条件登録部は、ユーザが保存したいと考えている電子メールの送信元メールアドレスを受け付ける。メール受信部により電子メールが受信されると、条件判定部はその送信元メールアドレスと受信許可アドレスの一部または全部とが一致するか否かを判定する。そして一致する場合に添付データの保存を行い、一致しない場合に削除を行う。【選択図】  図１
2010092098.tif 000002
【特許請求の範囲】
【請求項１】
画像の表示を行う表示部と、データの記憶を行う記憶部と、通信網に接続して電子メールの受信を行うメール通信部と、を有し、前記メール通信部が電子メールを受信すると自動的に前記記憶部に受信した電子メールが格納される表示装置において、
前記メール受信部により受信された電子メールが予め定められた相手先からのメールであるか否かを判定する条件判定部と、
前記条件判定部により、受信した電子メールが予め定められた相手先以外からのメールであると判定すると、電子メールに添付された添付データを自動的に前記記憶部から削除するデータ削除部と、を備えたことを特徴とする表示装置。
【請求項２】
請求項１に記載の表示装置であり、前記記憶部に記憶された電子メールの一覧を前記表示部に表示する際に、前記一覧の中にメール受信の際に添付データを自動的に削除した電子メールが存在すると、その電子メールは添付データを自動的に削除したメールである旨を報知することを特徴とする表示装置。
【請求項３】
請求項１に記載の表示装置であり、前記記憶部に記憶された電子メールの内容を前記表示部に表示する際に、表示する電子メールが、メール受信の際に添付データを自動的に削除した電子メールであると、前記表示する電子メールは添付データを自動的に削除したメールである旨を報知することを特徴とする表示装置。
【請求項４】
画像の表示を行う表示部と、データの記録を行う記憶部と、通信網に接続して電子メールの受信を行うメール通信部と、を有し、前記メール通信部が電子メールを受信すると自動的に前記記憶部に受信した電子メールが格納される表示装置において、
前記メール受信部により受信された電子メールが予め定められた相手先からのメールであるか否かを判定する条件判定部と、
前記条件判定部により、受信した電子メールが予め定められた相手先からのメールであると判定すると、電子メールに添付された添付データを自動的に前記記憶部から削除するデータ削除部と、を備えたことを特徴とする表示装置。
【請求項５】
請求項４に記載の表示装置であり、前記記憶部に記憶された電子メールの一覧を前記表示部に表示する際に、前記一覧の中にメール受信の際に添付データを自動的に削除した電子メールが存在すると、その電子メールは添付データを自動的に削除したメールである旨を報知することを特徴とする表示装置。
【請求項６】
請求項４に記載の表示装置であり、前記記憶部に記憶された電子メールの内容を前記表示部に表示する際に、表示する電子メールが、メール受信の際に添付データを自動的に削除した電子メールであると、前記表示する電子メールは添付データを自動的に削除したメールである旨を報知することを特徴とする表示装置。
【発明の詳細な説明】
【技術分野】
【０００１】
本発明は、デジタル画像データを表示する電子式写真立て（以下、「電子式フォトフレーム」という）として利用される表示装置に関するものであり、特に通信網に接続されて通信可能な表示装置に関する。
【背景技術】
【０００２】
近年、液晶パネル等を用いた薄型の表示装置が広く普及している。薄型表示装置は、軽量且つ設置スペースが小さいため、その設置場所や設置角度をユーザが適宜変更できるという利点を持っている。
【０００３】
上記のような薄型表示装置の一つとして、電子式フォトフレームが実用化されている。電子式フォトフレームは、デジタルカメラ等の撮影装置で撮像した画像を、従来の銀塩写真のように気軽に鑑賞できることを目的とした表示装置である。電子式フォトフレームは、例えばＳＤ（Secure Digital）メモリカードのような外部記録媒体や、ＬＡＮ（Local Area Network）等のネットワークを経由して画像データを取り込み、表示することが可能である。
【０００４】
上記に関連して特許文献１においては、電子式フォトフレームのユーザが通信網を介して新たな画像を取得したい場合に、画像送信側のユーザに対して、容易に画像を要求できる電子式フォトフレームが開示されている。
【特許文献１】特開２００２−２７８８６４号公報
【発明の開示】
【発明が解決しようとする課題】
【０００５】
しかしながら特許文献１においては、通信網を介した画像の取得方法については記載されているが、取得後のデータ管理に関しては開示も示唆もなされていない。このため、表示装置が、電子メール受信機能のように定期的にデータを取得する機能を備えている場合、受信メールやその添付データにより空き容量（＝記録可能容量）が減少し、容量不足が発生する可能性があった。
【０００６】
電子式フォトフレームは、例えばフラッシュメモリ等の記録媒体を備えている。フラッシュメモリは、ＨＤＤ（Hard Disk Drive）等の磁気記録媒体と比較して、コスト面では優れているが、データを記録できる容量が比較的小さいという欠点がある。このため、記録可能容量の管理が重要となるが、手動のファイル削除による容量管理は、ユーザに煩わしさを感じさせるという問題があった。
【０００７】
本発明は、上記の問題を鑑みてなされたものであり、データ取得機能、特に電子メールによるデータ取得機能を備えた表示装置であって、データ取得に伴い記録可能容量が減少し、結果として記録不可となるのを、ユーザ操作を必要とすることなく未然に防止することが可能な表示装置を提供することにある。
【課題を解決するための手段】
【０００８】
上記目的を達成するために請求項１に記載の表示装置は、画像の表示を行う表示部と、データの記憶を行う記憶部と、通信網に接続して電子メールの受信を行うメール通信部と、を有し、前記メール通信部が電子メールを受信すると自動的に前記記憶部に受信した電子メールが格納される表示装置において、前記メール受信部により受信された電子メールが予め定められた相手先からのメールであるか否かを判定する条件判定部と、前記条件判定部により、受信した電子メールが予め定められた相手先以外からのメールであると判定すると、電子メールに添付された添付データを自動的に前記記憶部から削除するデータ削除部と、を備えたことを特徴とする。
【０００９】
又、請求項２に記載の表示装置は、請求項１に記載の表示装置であり、前記記憶部に記憶された電子メールの一覧を前記表示部に表示する際に、前記一覧の中にメール受信の際に添付データを自動的に削除した電子メールが存在すると、その電子メールは添付データを自動的に削除したメールである旨を報知することを特徴とする。
【００１０】
請求項３に記載の表示装置は、請求項１に記載の表示装置であり、前記記憶部に記憶された電子メールの内容を前記表示部に表示する際に、表示する電子メールが、メール受信の際に添付データを自動的に削除した電子メールであると、前記表示する電子メールは添付データを自動的に削除したメールである旨を報知することを特徴とする。
【００１１】
請求項４に記載の表示装置は、画像の表示を行う表示部と、データの記録を行う記憶部と、通信網に接続して電子メールの受信を行うメール通信部と、を有し、前記メール通信部が電子メールを受信すると自動的に前記記憶部に受信した電子メールが格納される表示装置において、前記メール受信部により受信された電子メールが予め定められた相手先からのメールであるか否かを判定する条件判定部と、前記条件判定部により、受信した電子メールが予め定められた相手先からのメールであると判定すると、電子メールに添付された添付データを自動的に前記記憶部から削除するデータ削除部と、を備えたことを特徴とする。
【００１２】
請求項５に記載の表示装置は、請求項４に記載の表示装置であり、前記記憶部に記憶された電子メールの一覧を前記表示部に表示する際に、前記一覧の中にメール受信の際に添付データを自動的に削除した電子メールが存在すると、その電子メールは添付データを自動的に削除したメールである旨を報知することを特徴とする。
【００１３】
請求項６に記載の表示装置は、請求項４に記載の表示装置であり、前記記憶部に記憶された電子メールの内容を前記表示部に表示する際に、表示する電子メールが、メール受信の際に添付データを自動的に削除した電子メールであると、前記表示する電子メールは添付データを自動的に削除したメールである旨を報知することを特徴とする。
【発明の効果】
【００１４】
本発明によれば、予め定められた相手先からの電子メールを受信すると、その電子メールに添付されている添付データを自動的に削除する。このため、ユーザ操作を必要とすることなく所定の添付データを削除できる。従って、データ管理に関するユーザの負担を低減することができ、利便性が向上する。また、記録部の記録可能容量が不足し、電子メールの受信等を行えなくなるといった問題を回避することができる。
【００１５】
又、本発明によれば、予め定められた相手先以外からの電子メールを受信すると、その電子メールに添付されている添付データを自動的に削除する。このため、ユーザ操作を必要とすることなく所定の添付データを削除できる。従って、データ管理に関するユーザの負担を低減することができ、利便性が向上する。また、記録部の記録可能容量が不足し、電子メールの受信等を行えなくなるといった問題を回避することができる。
【００１６】
更に、受信した電子メールの一覧を表示する際に、表示する一覧の中にメール受信時に自動的に添付データを削除した電子メールが存在すれば、その電子メールはメール受信時に自動的に添付データを削除した電子メールである旨を報知する。従って、ユーザはどの電子メールが自動的に添付データが削除されたものであるかを認識することが可能である。
【００１７】
また、受信した電子メールの内容を表示する際に、表示する電子メールがメール受信時に自動的に添付データを削除した電子メールであると、その電子メールはメール受信時に自動的に添付データを削除した電子メールである旨を報知する。従って、ユーザはどの電子メールが自動的に添付データが削除されたものであるかを認識することが可能である。
【発明を実施するための最良の形態】
【００１８】
以下に本発明の実施形態を、図面を参照しながら説明する。なお、ここで示す実施形態は一例であり、本発明はここに示す実施形態に限定されるものではない。
【００１９】
［実施の形態１］
〈１−１．内部構成について〉
図２は、本発明の第一の実施形態に係る電子式フォトフレーム１（＝表示装置）の内部構成示すブロック図である。電子式フォトフレーム１は少なくとも、制御部１１、メモリ１２、操作部１３、タッチパネル１４（＝表示部）、通信Ｉ／Ｆ（Interface）部１５（＝通信部）、通信制御部１６（＝通信部）、電源部１７、メモリスロット１８、データ入出力部１９、及びフラッシュメモリ２０（＝記録部）を含むように構成されている。またメモリスロット１８に対して外部記録媒体であるメモリカード９０を着脱可能である。
【００２０】
制御部１１は、電子式フォトフレーム１に含まれる各装置の制御を行う。これにより、フラッシュメモリ２０に記録されている画像や、外部より入力した画像の表示処理等を統括制御する。制御部１１は、例えば複数のマイクロプロセッサから構成されている。また制御部１１は、データの計算、加工処理等を行う中枢部分となっている。なお、制御部１１が所定のプログラムを実行することにより実現される各機能部（図１に示すメール受信部１１ａ〜条件登録部１１ｄ）の詳細については後述する。
【００２１】
メモリ１２は、電子式フォトフレーム１が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ１２は制御部１１によって各種処理が行われる際の処理データや、ユーザから受けた指示命令等を一時的に記録しておくためのバッファメモリとしての役割を持つ。
【００２２】
操作部１３は、ユーザが電子式フォトフレーム１に対して、画像の切り替え指示やユーザ情報の入力指示等の各種指示を行うためのものである。操作部１３により入力された指示は制御部１１により受け付けられ、指示の内容に基づいて各種制御処理が行われる。操作部１３は例えば、複数の操作ボタンやスイッチ等から構成される。
【００２３】
タッチパネル１４は、ユーザによる接触操作により、電子式フォトフレーム１に対する各種指示を受け付ける。タッチパネル１４は、フラッシュメモリ２０等の記録媒体に記録されている画像を表示するＬＣＤ（Liquid Crystal Display）を備えている。またタッチパネル１４は、ソフトウェアキーボードやアイコン等をＬＣＤに表示することにより、文字情報の入力等を受け付けることが可能である。
【００２４】
通信Ｉ／Ｆ部１５は、電子式フォトフレーム１を通信ネットワークと接続するための物理的なインタフェースである。通信Ｉ／Ｆ部１５は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。なお、電話通信網に接続するためのアナログ接続端子やＩＳＤＮ通信網に接続するためのＩＳＤＮ接続端子を備える形態であってもよい。
【００２５】
通信制御部１６は、通信Ｉ／Ｆ部１５により接続された外部装置、例えばメールサーバや情報配信サーバ等と相互通信を行うための通信制御を行う。これにより、電子メールの送受信を行ったり、各種情報コンテンツを取得したりすることが可能である。また通信Ｉ／Ｆ部１５が無線アンテナを備える場合、無線通信網を介する無線通信の制御を行う役割も持つ。
【００２６】
電源部１７は、外部電源（不図示）より電力の供給を受け、電子式フォトフレーム１の各部に対して電源電圧を与える。電源部１７は、外部電源より電力供給を受けるための電源コードを接続する接続端子（図５に示す電源コード接続端子１７ａ）を備えている。この接続端子は、電子式フォトフレーム１の背面側等に設けられている。
【００２７】
或いは電源部１７は、電源として乾電池或いは二次電池を使用することにより、外部電源から切り離された状態で電子式フォトフレーム１の駆動を可能とする形態であってもよい。二次電池としては例えば、充電式アルカリ電池やリチウムイオンバッテリ等を用いることが可能である。
【００２８】
メモリスロット１８は、ＳＤメモリカード９０等の外部記録媒体を接続して情報の伝送を行うインタフェースである。ＳＤメモリカード９０には例えば、デジタルカメラで撮影した静止画や動画が記録されている。メモリスロット１８は制御部１１からの指示により、これらのデータをフラッシュメモリ２０にコピーする。これにより、外部から入力した画像をタッチパネル１４に表示することが可能である。
【００２９】
データ入出力部１９は、外部の撮像装置や記録装置を有線或いは無線により接続して画像データの入力を行うための入力インタフェースである。データ入出力部１９は例えば、シリアルケーブル接続用ソケットや、赤外線通信を行うためのＩｒＤＡポート１９ａ（図３）、或いはＵＳＢ接続端子（不図示）等を含むように構成されている。
【００３０】
フラッシュメモリ２０は、電子式フォトフレーム１が保持する各種データを記録する不揮発性の記録媒体である。フラッシュメモリ２０は例えば、通信Ｉ／Ｆ部１５により受信した電子メールデータや、データ入出力部１９より入力された画像データ等を記録する。また、電子式フォトフレーム１の設定データや、メールアドレス等の個人データを含むユーザデータを記録する役割を持つ。
〈１−２．機能部の構成について〉
ここで、本発明の第一の実施形態に係る電子式フォトフレーム１の添付データ削除処理を実施するための各機能部の関係を、図１の機能ブロック図を用いながら説明する。
【００３１】
図１に示すように本発明の添付データ削除処理は少なくとも、制御部１１が備えるメール受信部１１ａ、条件判定部１１ｂ、データ削除部１１ｃ、及び条件登録部１１ｄと、操作部１３と、通信制御部１６と、フラッシュメモリ２０とにより実現される。
【００３２】
メール受信部１１ａは、ＩＰ通信網に接続されたメールサーバと、通信Ｉ／Ｆ部１５及び通信制御部１６を用いて通信を行う。これにより電子メールの受信を行うメールクライアント機能を備えている。メール受信部１１ａは例えば、電子メールの受信サービスを提供するＰＯＰ（Post Office Protocol）サーバと通信を行うことにより、電子メールの受信を行う。或いは、通信事業者が提供する特定のサービス、例えば携帯電話サービスやＬモードサービス等を利用することにより、携帯電話用無線回線や一般電話回線を介して電子メールの受信を行う形態であってもよい。
【００３３】
条件判定部１１ｂは、メール受信部１１ａにより電子メールの受信が行われた際に、受信メールのヘッダ解析を行う。そして電子メールに添付データが添付されており、且つ受信メールの送信元を示すメールアドレス（以下、「送信元アドレス」という）が、添付データの受信を許可するメールアドレス（以下、「受信許可アドレス」という）と一致するか否かを判定する。判定結果は、次に説明するデータ削除部１１ｃに与えられる。
【００３４】
データ削除部１１ｃは、上記の判定結果において送信元アドレスと受信許可アドレスとが一致しない場合、該当メールの添付データを削除する。さらに添付データの削除を行った電子メールに対して、削除が実施されたことを示すフラグ情報（＝削除実施情報）を付加する。この結果、添付データを除くデータ、例えばヘッダデータや本文データ等のみを含む電子メールがフラッシュメモリ２０に記録されている状態となる。なお、フラグ情報の中には、削除された添付データ名も含まれている。
【００３５】
なお、フラグ情報が付加された受信メールは、受信メール一覧画面等において通常の受信メールと区別するため、色分け表示やアイコンの付加等により強調表示される。この一例を、図１１に示す画面図を用いて説明する。
【００３６】
図１１は、本実施形態に係る受信メール一覧画面の一例である。受信メール一覧画面は少なくとも、メール情報表示領域５１と、添付画像表示領域５２とを含むように構成されている。またメール情報表示領域５１内には、ユーザが複数の受信メールの中から一受信メールを選択するためのカーソル５３が含まれている。
【００３７】
メール情報表示領域５１には、左より順に送信元アドレス、件名、送信日時が表示されている。また添付画像表示領域５２には、カーソル５３により選択中である受信メールに添付されている添付データの一覧が表示されている。図１１の例では、送信元アドレスが「bbb@xxx.com」である受信メールがに「×」印が付加されている。これは、条件判定部１１ｂにより受信許可アドレスと一致しないと判定されたメールであることを示している。
【００３８】
このため、「bbb@xxx.com」に添付されていた添付データ、つまり添付画像表示領域５２に表示されている「AAAAAAAA.BMP」〜「CCCCCCCC.PNG」が、データ削除部１１ｃにより削除される。この結果、各添付データの右側に、削除されたことを示す「×」印が付加されている。また、各データの下に表示されているデータサイズも、削除されたことにより０ＫＢｙｔｅとなっている。これによりユーザは、通常の受信メールと、添付データの削除が行われた受信メールとを容易に見分けることが可能である。
【００３９】
なお、送信元アドレスと受信許可アドレスとが一致する受信メールに関しては、通常の受信処理を行うため、データ削除部１１ｃは特に処理を行う必要はない。
【００４０】
条件登録部１１ｄは、受信許可アドレスの設定をユーザより受け付ける。具体的には、受信許可アドレス入力画面等の画面をタッチパネル１４に表示し、操作部１３によるユーザ操作を待ち受ける。そして操作部１３により入力された送信元メールアドレスを、受信許可アドレスとしてフラッシュメモリ２０等に記録する。
【００４１】
なお、受信許可アドレスは複数設定することが可能である。また、入力する送信元アドレスは必ずしもメールアドレスの形式をしている必要はなく、例えば「.com」のように、メールアドレスの一部を示す文字列の形式でもよい。
〈１−３．電子式フォトフレームの外観について〉
ここで、本発明の第一の実施形態に係る電子式フォトフレーム１の外観を、図３の正面図、図４の上面図、及び図５の背面図を用いながら説明する。
【００４２】
図３は、電子式フォトフレーム１の前面に備えられた各装置部の一例を示したブロック図である。図３に示すように電子式フォトフレーム１の前面は、タッチパネル１４及びＩｒＤＡポート１９ａを含むように構成されている。また図４は、電子式フォトフレーム１の上面に備えられた各装置部の一例を示したブロック図である。図４に示すように電子式フォトフレーム１の上面は、メモリスロット１８を備えている。
【００４３】
図５は、電子式フォトフレーム１の背面に備えられた各装置部の一例を示したブロック図である。図５に示すように電子式フォトフレーム１の背面は、通信Ｉ／Ｆ部１５が備えるＬＡＮコネクタ１５ａ、電源部１７が備える電源コード接続端子１７ａ、及び支持用脚部３１を備えている。ＬＡＮコネクタ１５ａはＬＡＮケーブルを接続することにより、電子式フォトフレーム１をネットワークに接続するための接続端子である。電源コード接続端子１７ａは電源コード（不図示）を取り付けて商用電源から電力の供給を受けるためのものである。
【００４４】
支持用脚部３１は、電子式フォトフレーム１に回動自在に設けられ、電子式フォトフレーム１を背後から支持するための部材である。支持用脚部３１は、電子式フォトフレーム１の表面の傾斜を急にしたり、または緩やかにしたり、適宜調節可能な構成をしている。また支持用脚部３１は回動することにより、電子式フォトフレーム１の上下の向きを変更することが可能である。
〈１−４．添付データ削除処理について〉
ここで、本発明の第一の実施形態に係る電子式フォトフレーム１の添付データ削除処理を、図１〜図５のブロック図と図６のフロー図とを用いながら説明する。
【００４５】
図６は、本発明に係る添付データ削除処理の処理フローを示したフローチャートである。本処理は、電子式フォトフレーム１の電源が起動され、且つ制御部１１が電子メールの受信指示を検知した際に開始される。なお電子メールの受信指示は、例えばユーザが操作部１３を用いてメール受信操作を行った際に発行される。または、周期的に受信処理を自動実施するように設定されている場合、予め定められた受信タイミングが到来した時点で発行される。
【００４６】
本処理の開始後、メール受信部１１ａはステップＳ１１０において、通信制御部１６により外部のＰＯＰサーバ（不図示）から電子メールを取得可能であるか否かを判定する。なお電子メールの取得は、例えばメール受信部１１ａがＰＯＰリクエストをＰＯＰサーバに対して送信することにより行われる。
【００４７】
電子メールを受信不可である場合、例えばＰＯＰサーバに受信可能な電子メールが存在しない場合、削除処理を実施する必要がないため、本処理を終了する。電子メールを受信可能である場合、メール受信部１１ａはステップＳ１２０において、メール受信処理を実施し、受信した一又は複数の電子メールをフラッシュメモリ２０に記録する。なおこの際、スピーカ（不図示）により、電子メールの受信を報知する報知音を出力してもよい。
【００４８】
次に条件判定部１１ｂはステップＳ１３０において、メール受信部１１ａが受信した電子メールの解析を行う。なお複数の受信メールが存在する場合、解析処理を行っていない一電子メールを任意に選択して解析を行う。そして解析の結果に基づき、条件判定部１１ｂはステップＳ１４０において、受信メールに画像データ等の添付データが添付されているか否かを判定する。
【００４９】
添付データが添付されていない場合、添付データ削除処理を行う必要がないため、後述するステップＳ１８０に移行する。添付データが添付されている場合、条件判定部１１ｂはステップＳ１５０において、電子メールの送信元メールアドレスが、予め条件登録部１１ｄによりフラッシュメモリ２０に記録されている受信許可アドレスと一致するか否かを判定する。
【００５０】
一致する場合、後述するステップＳ１８０に移行する。一致しない場合、データ削除部１１ｃはステップＳ１６０において、該当する電子メールに添付されている添付データの削除を行う。なお、複数の添付データが存在する場合、全ての添付データを削除する。次にデータ削除部１１ｃはステップＳ１７０において、削除が実施されたことを示すフラグ情報を該当する電子メールに付加する。
【００５１】
次に条件判定部１１ｂはステップＳ１８０において、ステップＳ１２０において受信された全ての電子メールに対して、チェック処理、即ちステップＳ１３０以降の処理が行われた否かを判定する。全メールに対してチェック処理が完了している場合、本処理を終了する。チェック処理が行われていない電子メールが存在する場合、再びステップＳ１３０に移行し、チェック処理を継続して行う。
【００５２】
以上に説明した本実施形態によれば、メール受信部１１ａにより受信された電子メールに添付されている添付データを、ユーザ操作を必要とすることなく削除することができる。また削除に際しては、受信許可アドレスから送信されてきた電子メールは削除対象外とする。このため、ユーザ操作を必要とすることなくフラッシュメモリ２０の空き容量を確保し、容量不足が発生するのを回避することができる。
［実施の形態２］
〈２−１．内部構成について〉
実施の形態１と同内容であるため、ここでは説明を省略する。
〈２−２．機能部の構成について〉
ここで、本発明の第二の実施形態に係る電子式フォトフレーム１の添付データ削除処理を実施するための各機能部の関係を、図７の機能ブロック図を用いながら説明する。
【００５３】
本実施形態の制御部１１は実施の形態１のメール受信部１１ａ〜条件登録部１１ｄに加え、再生判定部１１ｅを備えている。また、条件判定部１１ｂ及びデータ削除部１１ｃの機能が、実施の形態１と一部異なる。
【００５４】
再生判定部１１ｅは、受信メールに添付されている添付データが、再生可能なデータであるか否かを判定する。具体的な判定方法としては例えば、添付データのファイル名等に含まれる拡張子の種別を取得する。そして取得した拡張子が、予め定められた再生可能な拡張子と一致するか否かを判定する。判定結果は条件判定部１１ｂに与えられる。
【００５５】
例えば再生可能な拡張子としてＪＰＧ、ＢＭＰ、ＷＡＶ、ＭＰ３が予め設定されていたとする。このため、例えば添付データの拡張子がＧＩＦ、ＰＮＧ、ＡＡＣ等であった場合、これらの添付データを再生不可能であるとみなす。なお、再生可能な拡張子の種別情報は、予め工場出荷時等においてフラッシュメモリ２０等に記録されている。或いは、制御部１１が実行する制御プログラムの内部に組み込まれている形態でもよい。
【００５６】
本実施形態の条件判定部１１ｂは、メール受信部１１ａにより電子メールの受信が行われた際に、再生判定部１１ｅにより添付データが再生可能であるか否かを判定する。この判定結果を受けたデータ削除部１１ｃは、上記の判定結果において再生不可である場合、該当する添付データを削除する。
【００５７】
さらにデータ削除部１１ｃは、添付データの削除を行った電子メールに対して、削除が実施されたことを示すフラグ情報（＝削除実施情報）を付加する。なおこの際、再生可能な添付データと再生不可能な添付データが一電子メールに混在する場合、再生不可能な添付データのみを削除する。再生可能な添付データは、通常通りフラッシュメモリ２０に記録される。
【００５８】
添付データが削除された受信メールを示す画面の一例を、図１２の画面図を用いて説明する。図１２は受信メール一覧画面の一例である。図１２の例では、送信元アドレスが「ccc@xxx.com」である受信メールに添付されている添付データのうち、「FFFFFFFF.PNG」に「×」印が付加されている。これは、再生判定部１１ｅにより再生不可と判定された添付データであることを示している。なお、「DDDDDDDD.BMP」及び「EEEEEEEE.MP3」は再生可能と判定された添付データである。
【００５９】
このため、「FFFFFFFF.PNG」はデータ削除部１１ｃによりフラッシュメモリ２０から削除され、データサイズも０ＫＢｙｔｅとなっている。しかしながら削除時にフラグ情報が該当メールに付加されるため、これに基づいて添付データ表示領域５２に削除済みデータ名が表示される。このため、ユーザは削除された添付データの存在を容易に確認することが可能である。
〈２−３．電子式フォトフレームの外観について〉
実施の形態１と同内容であるため、ここでは説明を省略する。
〈２−４．添付データ削除処理について〉
ここで、本発明の第二の実施形態に係る電子式フォトフレーム１の添付データ削除処理を、図７のブロック図と、図８のフロー図とを用いながら説明する。なお、実施の形態１と同内容の処理については、同じステップ番号を付加することにより説明を省略するものとする。
【００６０】
本処理の開始後、ステップＳ１４０を実行した後、条件判定部１１ｂはステップＳ１５５において、再生判定部１１ｅを用いて、添付データが再生可能であるか否かを判定する。再生可能である場合はステップＳ１８０に移行する。再生不可である場合はステップＳ１６５に移行する。なお電子メールに複数の添付データが添付されている場合、その中の一つでも再生不可データが存在すればステップＳ１６５に移行する。
【００６１】
次にデータ削除部１１ｃはステップＳ１６５において、再生判定部１１ｅにより再生不可であると判定された添付データを、フラッシュメモリ２０より削除する。そして削除実施を示すフラグ情報を、削除添付データが添付されていた受信メールに付加する。なお再生可能な添付データと再生不可の添付データが一電子メール内に混在する場合、再生不可の添付データのみ削除する。
【００６２】
ステップＳ１７０以降の処理については実施の形態１と同内容であるため、ここでは説明を省略する。
【００６３】
以上に説明した本実施形態によれば、再生不可の添付データが添付されている場合に、ユーザ操作を必要とすることなく、フラッシュメモリ２０から削除することができる。従って、ユーザにとって利用価値の低い再生不可データがフラッシュメモリ２０の記録容量を使用し、結果として無駄な記録領域が発生するのを回避することができる。
［実施の形態３］
〈３−１．内部構成について〉
実施の形態１と同内容であるため、ここでは説明を省略する。
〈３−２．機能部の構成について〉
ここで、本発明の第三の実施形態に係る電子式フォトフレーム１の添付データ削除処理を実施するための各機能部の関係を、図９の機能ブロック図を用いながら説明する。
【００６４】
本実施形態の制御部１１は実施の形態２のメール受信部１１ａ〜再生判定部１１ｅに加え、容量判定部１１ｆを備えている。また、条件判定部１１ｂ及びデータ削除部１１ｃの機能が、実施の形態１及び実施の形態２と一部異なる。
【００６５】
容量判定部１１ｆは、フラッシュメモリ２０の空き容量を常に監視する。そして空き容量が所定値を上回るか否かを判定する。なお所定値の値は運用の形態により適宜設定変更可能である。例えば、空き容量が記録容量全体の２０％を上回っている場合等に、所定値を上回ると判定する。判定結果はデータ削除部１１ｃ等に与えられる。
【００６６】
本実施形態の条件判定部１１ｂは、メール受信部１１ａにより電子メールの受信が行われた際に、受信メールの送信元アドレスが受信許可アドレスと一致するか否かを判定すると共に、再生判定部１１ｅにより添付データが再生可能であるか否かを判定する。この判定結果を受けたデータ削除部１１ｃは、上記の判定結果において両アドレスが一致し、且つ再生可能である場合のみ添付データを保存し、それ以外の添付データは削除する。
〈３−３．電子式フォトフレームの外観について〉
実施の形態１と同内容であるため、ここでは説明を省略する。
〈３−４．添付データ削除処理について〉
ここで、本発明の第三の実施形態に係る電子式フォトフレーム１の添付データ削除処理を、図９のブロック図と、図１０のフロー図とを用いながら説明する。なお、実施の形態１及び実施の形態２と同内容の処理については、同じステップ番号を付加することにより説明を省略するものとする。
【００６７】
本処理の開始後、ステップＳ１２０を実行した後、容量判定部１１ｆはステップＳ１２５において、フラッシュメモリ２０の空き容量が所定値を上回るか否かを判定する。所定値を上回る場合、添付データの削除処理を実施する必要がないとみなし、本処理を終了する。
【００６８】
所定値を上回らない場合、条件判定部１１ｂはステップＳ１３５において、フラッシュメモリ２０に記録されている保存電子メールのうち、解析処理を未実施である電子メールの中から一電子メールの解析を行う。なお、ここでいう保存電子メールは、ステップＳ１２０において受信された電子メールも含まれるものとする。保存電子メールが複数存在する場合、例えば受信日時の最も古い保存電子メールから順にチェック処理を行うことが望ましい。
【００６９】
解析の結果に基づき、条件判定部１１ｂはステップＳ１４０において、受信メールに画像データ等の添付データが添付されているか否かを判定する。添付データが添付されていない場合、後述するステップＳ１８５に移行する。添付データが添付されている場合、条件判定部１１ｂはステップＳ１５０において、電子メールの送信元メールアドレスが、予め条件登録部１１ｄによりフラッシュメモリ２０に記録されている受信許可アドレスと一致するか否かを判定する。
【００７０】
一致しない場合、データ削除部１１ｃはステップＳ１６０において、電子メールに添付されている添付データの削除を行った後、ステップＳ１７０に移行する。一致する場合、条件判定部１１ｂはステップＳ１５５において、再生判定部１１ｅを用いて、添付データが再生可能であるか否かを判定する。再生可能である場合はステップＳ１８５に移行する。再生不可である場合はステップＳ１６５に移行する。なお電子メールに複数の添付データが添付されている場合、その中の一つでも再生不可データが存在すればステップＳ１６５に移行する。
【００７１】
次にデータ削除部１１ｃはステップＳ１６５において、再生判定部１１ｅにより再生不可であると判定された添付データを、フラッシュメモリ２０より削除した後、ステップＳ１７０に移行する。ステップＳ１７０においてフラグ情報の付加が実施されると、ステップＳ１８５に移行する。
【００７２】
次に条件判定部１１ｂはステップＳ１８５において、フラッシュメモリ２０に記録されている全ての保存電子メールに対して、チェック処理、即ちステップＳ１３５以降の処理が行われた否かを判定する。全ての保存電子メールに対してチェック処理が行われている場合、本処理を終了する。チェック処理が行われていない保存電子メールが存在する場合、再びステップＳ１２５に移行し、チェック処理を継続して行う。
【００７３】
以上に説明した本実施形態によれば、フラッシュメモリ２０の空き容量が所定量を超えて減少した場合にのみ、削除処理を行う。従って空き容量に余裕がある場合は削除処理を行わないため、処理数を低減し、制御部１１の処理負担を軽減できる。また、受信した電子メールだけではなく、記録されている全ての保存電子メールをチェック対象とするため、例えば受信日時が古い電子メールの添付データから、優先的に削除していくことが可能である。
【００７４】
また本実施形態によれば、受信許可アドレスから送信されてきた電子メールではない電子メールの添付データを削除する。また、受信許可アドレスから送信されてきた電子メールの添付データであっても、再生不可の場合は削除する。このように複数の条件により添付データの削除を実施するため、フラッシュメモリ２０の空き容量の確保をより確実に行うことができる。
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００７５】
従って本発明は、以下の形態にも適用可能である。
【００７６】
（Ａ）上記実施形態では、受信メールの添付データ削除処理に関わる各種機能部が、マイクロプロセッサ等の演算処理装置上でプログラムを実行することにより実現されているが、各種機能部が複数の回路により実現される形態でもよい。
【００７７】
（Ｂ）上記実施形態では、本発明の添付データ削除処理を実施する表示装置として電子式フォトフレーム１を例として説明しているが、メール受信機能を備えた表示装置であれば、これ以外の装置において本発明を実施することが可能である。例えば、携帯電話、ＰＤＡ、カーナビ、テレビジョン装置等において実施する形態であってもよい。
【００７８】
（Ｃ）上記実施形態では、データ削除部１１ｃが削除する添付データとして、画像ファイルや音楽ファイル等を例に説明を行っているが、これ以外の添付データに対しても同様の削除処理を実施することができる。例えばドキュメントデータや圧縮データ等についても、同様の処理により自動削除を行うことが可能である。
【００７９】
（Ｄ）上記実施形態では、メール受信部１１ａが受信メールの添付データを一旦フラッシュメモリ２０に記録した後、データ削除部１１ｃが削除処理を行っているが、フラッシュメモリ２０に記録する前の段階で削除処理を行う形態でもよい。例えば、メール受信部１１ａがメール受信処理を開始し、且つ電子メールのヘッダ部を受信した時点で、データ削除部１１ｃがメール受信部１１ａに対して割り込みを発生させる。これによりメール受信部１１ａは、一旦メール受信処理を停止する。この状態においてデータ削除部１１ｃは受信済みのヘッダ部を解析し、削除対象の添付データが存在することがヘッダ部に記述されているか否かを判定する。記述されていない場合、受信処理を再開する。記述されている場合、添付データの部分のみ受信を行わないように、メール受信部１１ａに指示する。これにより例えば、メール受信時において添付データを記録する容量がフラッシュメモリ２０に存在しない場合に、受信エラーが発生することなく、電子メールのヘッダ部及び本文のみを受信することができる。
【００８０】
（Ｅ）上記実施形態では、受信メールの送信元アドレスと受信許可アドレスとが完全に一致することを添付データ保存の条件としているが、部分一致の場合も条件を満たすみなす形態でもよい。例えば受信許可アドレスとして「c＠xxx.jp」という受信許可アドレスが設定されているとする。この場合、「abc＠xxx.jp」や「ccc＠xxx.jp」は部分一致するとみなされる。この結果、上記アドレスの受信メールに添付されている添付データは保存される。このように部分一致を条件として使用することにより、一つの条件設定で複数の受信メールを保存対象として指定することができる。なお部分一致を使用する場合、設定する受信許可アドレスは必ずしもメールアドレスの形式（＝＠を含む文字列）をとる必要はなく、例えば「.com」のような文字列でも構わない。
【００８１】
（Ｆ）上記実施形態では、添付データが再生可能であるか否かを拡張子の種別により判定しているが、これ以外の方法により判定する形態でもよい。例えば試験的に添付データを実行することにより判定する形態でもよい。また、添付データの先頭から所定アドレスの情報を読み出し、データ種別が記述されているか否かを確認する形態でもよい。
【００８２】
（Ｇ）上記第三の実施形態では、フラッシュメモリ２０の空き容量が所定値を下回る場合に、フラッシュメモリ２０に記録されている全ての受信メールに対してチェック処理を行っているが、一部の受信メールに対してのみ、チェック処理を行う形態でもよい。例えば、ステップＳ１２０において直近に受信された電子メールにのみチェック処理を行う形態でもよい。または、フラッシュメモリ２０に記録されている電子メールのうち、ユーザが閲覧済みである電子メールに対してのみ、チェック処理を行う形態でもよい。
【００８３】
（Ｈ）また、本実施例では予め定められた相手先以外の相手から来た電子メールについては、添付ファイルを自動的に削除する構成としたが、予め定められた相手先から来た電子メールについて自動的に添付ファイルを削除する構成としても良い。
【００８４】
（Ｉ）また、本実施例では電子メールの一覧を表示する際に、添付ファイルを自動的に削除した電子メールについてバツ印を付与して表示することにより、ユーザに添付ファイルを自動的に削除した電子メールであることを報知したが、電子メールの内容を表示する際に、ユーザに添付ファイルを自動的に削除した電子メールであることを報知する構成としても良い。
【図面の簡単な説明】
【００８５】
【図１】第一の実施形態に係る表示装置が備える機能部の構成を示す機能ブロック図である。
【図２】本発明の表示装置の内部構成を示すブロック図である。
【図３】本発明の表示装置の外観を示す前面図である。
【図４】本発明の表示装置の外観を示す上面図である。
【図５】本発明の表示装置の外観を示す背面図である。
【図６】第一の実施形態に係る添付データ削除処理の処理フローを示すフロー図である。
【図７】第二の実施形態に係る表示装置が備える機能部の構成を示す機能ブロック図である。
【図８】第二の実施形態に係る添付データ削除処理の処理フローを示すフロー図である。
【図９】第三の実施形態に係る表示装置が備える機能部の構成を示す機能ブロック図で
【図１０】第三の実施形態に係る添付データ削除処理の処理フローを示すフロー図である。
【図１１】第一の実施形態に係る受信メール一覧画面を示す画面図である。
【図１２】第二の実施形態に係る受信メール一覧画面を示す画面図である。
【符号の説明】
【００８６】
１      電子式フォトフレーム（表示装置）
１１    制御部
１１ａ  メール受信部
１１ｂ  条件判定部
１１ｃ  データ削除部
１１ｄ  条件登録部
１１ｅ  再生判定部
１１ｆ  容量判定部
１３    操作部
１４    タッチパネル（表示部）
１５    通信Ｉ／Ｆ部（通信部）
１６    通信制御部（通信部）
２０    フラッシュメモリ（記録部）
【図１】
2010092098.tif 000003
【図２】
2010092098.tif 000004
【図３】
2010092098.tif 000005
【図４】
2010092098.tif 000006
【図５】
2010092098.tif 000007
【図６】
2010092098.tif 000008
【図７】
2010092098.tif 000009
【図８】
2010092098.tif 000010
【図９】
2010092098.tif 000011
【図１０】
2010092098.tif 000012
【図１１】
2010092098.tif 000013
【図１２】
2010092098.tif 000014